(57)【特許請求の範囲】
【請求項１】
一体に構成され床面との間に脚を備えた架台と、該架台の上に並べて載置される独立したユニットと、該ユニットの上に一体となって載置されるトップと、の組合せからなるシステムキッチンであって、
前記架台は、前記ユニットの底部が載置される水平枠部と、その水平枠部から下方へ延設されて床面に載る垂直脚部とで構成して、前記床面との間に隙間が形成され、
前記垂直脚部は、システムキッチンの両側であって前記ユニットの側壁の下方に位置して前記水平枠部の左右両側から下方へ延設された板状を成してその端部が床面に載る側部の垂直脚部、および、前記ユニットの隣接する前壁よりも前記ユニットの内側で、前記水平枠部から前後方向に配置した縦枠の中間に位置して、下方へ延設されて先端部が前記床面に載る中間の垂直脚部とで構成され、
それら中間の垂直脚部は、前記縦枠と前記水平枠部の左右方向に配置した横枠とが、縦横に連結する枠部の交点に位置することを特徴とするシステムキッチン。
【発明の詳細な説明】
【技術分野】
【０００１】
本発明は、システムキッチンに関する。
【背景技術】
【０００２】
図８に示すように、従来のシステムキッチンは、台輪１と、台輪１の上に載置されるユニット２と、ユニット２の上に載置されるトップ３との組合せからなり、ユニット２の後面パネル２５はトップ３の後端面３４より面落ちにトップ３の下面３５の下方に入り込んだ状態で床面まで達しており、また、ユニット２の引出し部の前板２３ａは、トップ３の下面３５の下方に位置される。
【発明の開示】
【発明が解決しようとする課題】
【０００３】
しかし、従来のシステムキッチンによると、ユニット２とトップ３との位置関係が上記のように固定されているため、ユニット２の前後方向の向きを逆にした、構成の異なるシステムキッチンを構築することができず、自由度が乏しかった。
【０００４】
本発明は、上記のような従来技術の問題点を解決し、構成の異なるシステムキッチンを容易に構築することができ、自由度に富んだシステムキッチンを提供することを目的とする。
【課題を解決するための手段】
【０００５】
本発明のシステムキッチンは、一体に構成され床面との間に脚を備えた架台と、該架台の上に並べて載置される独立したユニットと、該ユニットの上に一体となって載置されるトップと、の組合せからなるシステムキッチンであって、架台は、ユニットの底部が載置される水平枠部と、その水平枠部から下方へ延設されて床面に載る垂直脚部とで構成して、床面との間に隙間が形成され、垂直脚部は、システムキッチンの両側であってユニットの側壁の下方に位置して水平枠部の左右両側から下方へ延設された板状を成してその端部が床面に載る側部の垂直脚部、および、ユニットの隣接する前壁よりもユニットの内側で、水平枠部から前後方向に配置した縦枠の中間に位置して、下方へ延設されて先端部が床面に載る中間の垂直脚部とで構成され、それら中間の垂直脚部は、縦枠と水平枠部の左右方向に配置した横枠とが、縦横に連結する枠部の交点に位置することを特徴とする。
【０００６】
本発明によると、システムキッチンのユニットが架台の上に載置され、また、その架台の水平枠部の左右両側およびその左右の中間の二箇所から下方へ延設された垂直脚部が床面に載る。
【発明を実施するための最良の形態】
【０００７】
以下、本発明の実施形態を図面に基づいて説明する。
【０００８】
図１は、本発明の第１実施形態に係るシステムキッチンの側面図、図２及び図３は、それぞれ第１使用形態に係るシステムキッチンの分解斜視図、図４及び図５は、それぞれ第２使用形態に係るシステムキッチンの分解斜視図、図６は、第２実施形態に係るシステムキッチンの第１使用形態を表す平面図、図７は、同システムキッチンの第２使用形態を表す平面図をそれぞれ示す。
【０００９】
図１において、第１実施形態に係るシステムキッチンは、架台１と、架台１の上に載置されるユニット２と、ユニット２の上に載置されるトップ３との組合せからなる。
【００１０】
図１〜図５において、架台１は、ユニット２の底部が載置される水平枠部１１と、水平枠部１１の適宜箇所から下方へ延設され、床面１００に載る垂直脚部１２とで構成される。
【００１１】
ユニット２は、シンクユニット２１と加熱機器ユニット２２とで構成される。
【００１２】
トップ３は、シンクユニット２１に載るシンクタンク部３１と、加熱機器ユニット２２に載る加熱機器部３２とからなる。図２及び図３に示した第１使用形態に係るシステムキッチンのトップ３Ａは、シンクタンク部３１の向きと加熱機器部３２の向きが同一の向きとなるよう構成されており、シンクタンク部３１及び加熱機器部３２のいずれに対してもキッチン側から使用可能となる。一方、図４及び図５に示した第２使用形態に係るシステムキッチンのトップ３Ｂは、シンクタンク部３１の向きと加熱機器部３２の向きが互いに逆の向きとなるよう構成されており、シンクタンク部３１に対してはキッチン側又はダイニング側のいずれか一方の側から使用可能となり、加熱機器部３２に対しては他方の側から使用可能となる。
【００１３】
上記のように、ユニット２は、シンクユニット２１と加熱機器ユニット２２とからなる。図２及び図３に示した第１使用形態に係るシステムキッチンでは、シンクユニット２１の向きと加熱機器ユニット２２の向きが同一の向きとなるよう配置されており、シンクユニット２１及び加熱機器ユニット２２のいずれに対してもキッチン側から使用可能となる。一方、図４及び図５に示した第２使用形態に係るシステムキッチンでは、シンクユニット２１の向きと加熱機器ユニット２２の向きが互いに逆の向きに配置されており、シンクユニット２１に対してはキッチン側又はダイニング側のいずれか一方の側から使用可能となり、加熱機器ユニット２２に対しては他方の側から使用可能となる。
【００１４】
シンクユニット２１及び加熱機器ユニット２２は、それぞれ引出しユニットで構成される。引出しユニット２１、２２は、引出し部２３とボックス部２４と後面パネル２５を有する。
【００１５】
引出し部２３は上下二段からなり、各段の引出し部２３は、前板２３ａと底板２３ｂと左右側板２３ｃと背板２３ｄとを有する。前板２３ａには、操作部２３ｅが設けられている。前板２３ａの前面２３ｆは、図２及び図３に示す第１使用形態ではトップ３の前端面３３の真下に、一方、図４及び図５に示す第２使用形態ではトップ３の後端面３４の真下にそれぞれ位置する。左右側板２３ｃには、ボックス部２４の左右側板２４ａの内面に設けられたスライドレール２４ｂと係合する係合部（図示せず。）が設けられている。
【００１６】
後面パネル２５は、ボックス部２４の背板２４ｃに取着される。後面パネル２５の後面２５ａは、図２及び図３に示す第１使用形態ではトップ３の後端面３４の真下に、一方、図４及び図５に示す第２使用形態ではトップ３の前端面３３の真下にそれぞれ位置する。図１に示すように、後面パネル２５の上面２５ｂとトップ３の下面３５との間に形成される隙間Ｓ１の上下方向の寸法は、上段の引出し部２３の前板２３ａの上面２３ｇとトップ３の下面３５との間に形成される隙間Ｓ２の上下方向の寸法と同一に設定される。このように後面パネル２５側に隙間Ｓ１を形成したことにより、後面パネル２５が外観上引出し部２３の前板２３ａに似た感じを使用者に与えることとなり、前後を感じさせず意匠性に優れる。なお、図２〜図５において、符号４は、スペーサを表す。
【００１７】
第１実施形態に係るシステムキッチンは、通常のシステムキッチンと同様に、キッチン側から使用する場合は、図２及び図３に示すようなトップ３（３Ａ）を使用すると共に、図２及び図３に示すように加熱機器ユニット２２をシンクユニット２１と同一の向きで配置し、架台１の上にシンクユニット２１と加熱機器ユニット２２を載置し、シンクユニット２１と加熱機器ユニット２２の上にトップ３Ａを載置するようにする。
【００１８】
一方、第１実施形態に係るシステムキッチンを、シンクユニット２１に対してはキッチン側又はダイニング側のいずれか一方の側から使用し、かつ、加熱機器ユニット２２に対しては他方の側から使用できる仕様とする場合には、図４及び図５に示すようなトップ３（３Ｂ）を使用すると共に、図４及び図５に示すように加熱機器ユニット２２をシンクユニット２１とは逆向きで配置し、架台１の上にシンクユニット２１と加熱機器ユニット２２を載置し、シンクユニット２１と加熱機器ユニット２２の上にトップ３Ｂを載置するようにする。ここで、トップ３Ｂはトップ２Ａと同一の外形形状を有している。
【００１９】
以上説明したように、第１実施形態に係るシステムキッチンは、架台１と、架台１の上に載置されるシンクユニット２１及び加熱機器ユニット２２と、シンクユニット２１及び加熱機器ユニット２２の上に載置されるトップ３（３Ａ、３Ｂ）との組合せからなるシステムキッチンであって、シンクユニット２１及び加熱機器ユニット２２の前板２３ａの前面２３ｆ及び後面パネル２５の後面２５ａが、それぞれ、トップ３の前端面３３の真下及び後端面３４の真下に位置するようシンクユニット２１及び加熱機器ユニット２２を構成し、かつ、シンクユニット２１及び加熱機器ユニット２２の前後方向の向きを逆にしたとき、後面２５ａ及び前面２３ｆが、それぞれ、前端面３３の真下及び後端面３４の真下に位置するよう構成される。このため、本実施形態によると、加熱機器ユニット２２の前後方向の向きを逆にして、構成の異なるシステムキッチンを容易に構築することができ、自由度に富んだシステムキッチンを提供可能になる。なお、加熱機器ユニット２２の代わりにシンクユニット２１の向きを逆にしてもよい。
【００２０】
図６及び図７において、第２実施形態に係るシステムキッチンは、架台（図６及び図７には現れない。）と、架台の上に載置されるユニット２と、ユニット２の上に載置されるトップ３との組合せからなる。
【００２１】
ユニット２は、シンクユニット２１と、加熱機器ユニット２２と、左右両端部に位置する引出しユニット２６、２６とで構成される。
【００２２】
トップ３は、シンクユニット２１に載るシンクタンク部３１と、加熱機器ユニット２２に載る加熱機器部３２と、引出しユニット２６、２６に載るカウンター部３６、３６とからなる。
【００２３】
図６図示の第１使用形態では、シンクタンク部３１、シンクユニット２１、加熱機器部３２、加熱機器ユニット２２、引出しユニット２６、２６のいずれもキッチン側から使用可能に配置される。
【００２４】
一方、図７図示の第２使用形態では、引出しユニット２６、２６をその前後方向の向きを第１実施形態とは反対に配置し、シンクタンク部３１、シンクユニット２１、加熱機器部３２、加熱機器ユニット２２についてはキッチン側から使用可能とし、かつ、引出しユニット２６、２６についてはダイニング側から使用可能とする。
【００２５】
各引出しユニット２６は、第１実施形態に係るシンクユニット２１及び加熱機器ユニット２２と同様に構成され、引出し部２３とボックス部２４と後面パネル２５を有する。引出しユニット２６は、図１に示した側面と同様な側面を有し、引出し部２３の前板２３ａの前面２３ｆは、第１使用形態ではトップ３の前端面３３の真下に、一方、第２使用形態ではトップ３の後端面３４の真下にそれぞれ位置する。また、後面パネル２５の後面２５ａは、第１使用形態ではトップ３の後端面３４の真下に、一方、第２使用形態ではトップ３の前端面３３の真下にそれぞれ位置する。また、第１実施形態と同様、後面パネル２５の上面２５ｂとトップ３の下面３５との間に形成される隙間Ｓ１の上下方向の寸法は、上段の引出し部２３の前板２３ａの上面２３ｇとトップ３の下面３５との間に形成される隙間Ｓ２の上下方向の寸法と同一に設定されており、後面パネル２５が外観上引出し部２３の前板２３ａに似た感じを使用者に与えることとなり、前後を感じさせず意匠性に優れる。
【００２６】
以上説明したように、第２実施形態に係るシステムキッチンは、架台と、架台の上に載置されるシンクユニット２１、加熱機器ユニット２２及び引出しユニット２６、２６と、シンクユニット２１、加熱機器ユニット２２及び引出しユニット２６、２６の上に載置されるトップ３との組合せからなるシステムキッチンであって、引出しユニット２６の前板２３ａの前面２３ｆ及び後面パネル２５の後面２５ａが、それぞれ、トップ３の前端面３３の真下及び後端面３４の真下に位置するよう引出しユニット２６を構成し、かつ、引出しユニット２６の前後方向の向きを逆にしたとき、後面２５ａ及び前面２３ｆが、それぞれ、前端面３３の真下及び後端面３４の真下に位置するよう構成される。このため、本実施形態によると、引出しユニット２６の前後方向の向きを逆にして、構成の異なるシステムキッチンを容易に構築することができ、自由度に富んだシステムキッチンを提供可能になる。
【図面の簡単な説明】
【００２７】
【図１】本発明の一実施形態に係るシステムキッチンの側面図である。
【図２】第１使用形態に係るシステムキッチンの分解斜視図である。
【図３】同じく第１使用形態に係るシステムキッチンの分解斜視図である。
【図４】第２使用形態に係るシステムキッチンの分解斜視図である。
【図５】同じく第２使用形態に係るシステムキッチンの分解斜視図である。
【図６】他の実施形態に係るシステムキッチンの第１使用形態を表す平面図である。
【図７】同システムキッチンの第２使用形態を表す平面図である。
【図８】従来のシステムキッチンの側面図である。
【符号の説明】
【００２８】
１    架台
２    ユニット
２１    シンクユニット
２２    加熱機器ユニット
２３f    前板２３aの前面（ユニット２の前面）
２５a    後面パネル２５の後面（ユニット２の後面）
２６    引出しユニット
３、３A、３B    トップ
３３    トップ３の前端面
３４    トップ３の後端面
【図１】
0004927061.tif 000002
【図２】
0004927061.tif 000003
【図３】
0004927061.tif 000004
【図４】
0004927061.tif 000005
【図５】
0004927061.tif 000006
【図６】
0004927061.tif 000007
【図７】
0004927061.tif 000008
【図８】
0004927061.tif 000009